(57)【要約】 【課題】  洗浄液に対する流動抵抗を低減して高い噴射圧を確保する。【解決手段】  供給タンクから供給される洗浄液３００が流動される流路２ａと洗浄液を送り出す送出口９とを有するジョイント２と、ジョイントが連結され送出口から送り出される洗浄液が内部を流動されるノズルホルダー３と、ノズルホルダーの内部に配置され洗浄液の流動方向に伸縮されるコイルバネ１４と、洗浄液を外部へ吐出する吐出口１８ｂを有しノズルホルダーに保持されるノズル４と、コイルバネに取り付けられコイルバネとともに移動され送出口を開閉するバルブ１５とを設け、ノズルホルダーの内部におけるコイルバネの外側に洗浄液が流動される洗浄液流動路１０ａが形成された。【選択図】  図４
2014125056.tif 000002
【特許請求の範囲】
【請求項１】
供給タンクから供給される洗浄液が流動される流路と前記洗浄液を送り出す送出口とを有するジョイントと、
前記ジョイントが連結され前記ジョイントの送出口から送り出される前記洗浄液が内部を流動されるノズルホルダーと、
前記ノズルホルダーの内部に配置され前記洗浄液の流動方向に伸縮されるコイルバネと、
前記洗浄液を外部へ吐出する吐出口を有し前記ノズルホルダーに保持されるノズルと、
前記コイルバネに取り付けられ前記コイルバネとともに移動され前記ジョイントの送出口を開閉するバルブとを備え、
前記ノズルホルダーの内部における前記コイルバネの外側に前記洗浄液が流動される洗浄液流動路が形成された
ことを特徴とする車輌用洗浄装置。
【請求項２】
前記ノズルホルダーに、前記洗浄液流動路に連通され前記洗浄液を前記洗浄液流動路から前記ノズルへ向けて流動させる複数の連通孔が形成された
ことを特徴とする請求項１に記載の車輌用洗浄装置。
【請求項３】
前記連通孔が円弧状に形成され周方向に離隔して位置された
ことを特徴とする請求項２に記載の車輌用洗浄装置。
【請求項４】
前記バルブに、前記洗浄液を前記洗浄液流動路に案内する案内面が形成された
ことを特徴とする請求項１、請求項２又は請求項３に記載の車輌用洗浄装置。
【請求項５】
前記ジョイントに、前記洗浄液を前記洗浄液流動路に誘導する誘導面が形成された
ことを特徴とする請求項１、請求項２、請求項３又は請求項４に記載の車輌用洗浄装置。
【発明の詳細な説明】
【技術分野】
【０００１】
本発明は車輌用洗浄装置に関する。詳しくは、洗浄液が流動される洗浄液流動路をコイルバネの外側に形成し洗浄液に対する流動抵抗を低減して高い噴射圧を確保する技術分野に関する。
【先行技術文献】
【特許文献】
【０００２】
【特許文献１】実開昭６３−２０１６５３号公報
【特許文献２】実開平１−１４２３５９号公報
【背景技術】
【０００３】
車体又はバンパーに形成された開口から一部が外部へ突出され、ノズルから洗浄液を噴射して車輌用灯具のカバーの表面を洗浄する洗浄装置がある。
【０００４】
洗浄装置は、先端側に設けられ洗浄液を噴射するノズルと、ノズルを保持するノズルホルダー（ノズルケース）と、ノズルホルダーの内部に配置され洗浄液の流動方向に伸縮されるコイルバネと、コイルバネに取り付けられコイルバネとともに移動されるバルブとを備えたものがある（例えば、特許文献１及び特許文献２参照）。
【０００５】
このような洗浄装置においては、ノズルホルダーに洗浄液が供給されるときに洗浄液の液圧が高まることによりコイルバネが圧縮されてバルブがコイルバネとともに移動され、バルブによって閉塞されていた送出口が開放されて洗浄液がノズルホルダーの内部に送り出されノズルから噴射される。
【発明の概要】
【発明が解決しようとする課題】
【０００６】
ところが、特許文献１及び特許文献２に記載された洗浄装置においては、コイルバネが圧縮されてバルブが移動され送出口が開放されたときに、洗浄液が流動面積の小さい流水路を流動されたり、コイルバネの外周側から内部に侵入しコイルバネの内部を流動してノズルから外部へ噴射される。
【０００７】
従って、面積の小さい流水路において洗浄液に対して流動抵抗が付与され又はコイルバネから洗浄液に対して抵抗力が付与されて圧力損失が生じ、ノズルから噴射される洗浄液の噴射圧が低下し、洗浄液による洗浄力が低いと言う問題がある。
【０００８】
そこで、本発明洗浄装置は、洗浄液に対する流動抵抗を低減して高い噴射圧を確保することを課題とする。
【課題を解決するための手段】
【０００９】
車輌用洗浄装置は、上記した課題を解決するために、供給タンクから供給される洗浄液が流動される流路と前記洗浄液を送り出す送出口とを有するジョイントと、前記ジョイントが連結され前記ジョイントの送出口から送り出される前記洗浄液が内部を流動されるノズルホルダーと、前記ノズルホルダーの内部に配置され前記洗浄液の流動方向に伸縮されるコイルバネと、前記洗浄液を外部へ吐出する吐出口を有し前記ノズルホルダーに保持されるノズルと、前記コイルバネに取り付けられ前記コイルバネとともに移動され前記ジョイントの送出口を開閉するバルブとを備え、前記ノズルホルダーの内部における前記コイルバネの外側に前記洗浄液が流動される洗浄液流動路が形成されたものである。
【００１０】
従って、車輌用洗浄装置にあっては、送出口からノズルホルダーに供給された洗浄液が流動に対して抵抗が付与され難い空間を流動されてノズルから噴射される。
【発明の効果】
【００１１】
本発明車輌用洗浄装置は、供給タンクから供給される洗浄液が流動される流路と前記洗浄液を送り出す送出口とを有するジョイントと、前記ジョイントが連結され前記ジョイントの送出口から送り出される前記洗浄液が内部を流動されるノズルホルダーと、前記ノズルホルダーの内部に配置され前記洗浄液の流動方向に伸縮されるコイルバネと、前記洗浄液を外部へ吐出する吐出口を有し前記ノズルホルダーに保持されるノズルと、前記コイルバネに取り付けられ前記コイルバネとともに移動され前記ジョイントの送出口を開閉するバルブとを備え、前記ノズルホルダーの内部における前記コイルバネの外側に前記洗浄液が流動される洗浄液流動路が形成されたことを特徴とする。
【００１２】
従って、流動面積の小さい空間において洗浄液に対して抵抗力が付与されたりコイルバネから洗浄液に対して抵抗力が付与されないため圧力損失が生じ難く、ノズルから噴射される洗浄液の高い噴射圧を確保することができる。
【００１３】
請求項２に記載した発明にあっては、前記ノズルホルダーに、前記洗浄液流動路に連通され前記洗浄液を前記洗浄液流動路から前記ノズルへ向けて流動させる複数の連通孔が形成されている。
【００１４】
従って、洗浄液が確実に洗浄液流動路を流動されてノズルから噴射されるため、ノズルホルダーの内部を流動される洗浄液に対する流動抵抗を確実に低下させることができる。
【００１５】
請求項３に記載した発明にあっては、前記連通孔が円弧状に形成され周方向に離隔して位置されている。
【００１６】
従って、洗浄液の流速及びノズルホルダーの内圧の均一化を図ることが可能であり、洗浄液の流動状態及び噴射状態の安定化を図ることができる。
【００１７】
請求項４に記載した発明にあっては、前記バルブに、前記洗浄液を前記洗浄液流動路に案内する案内面が形成されている。
【００１８】
従って、部品点数の増大を伴わず洗浄装置の構造の簡素化を確保した上で洗浄液を洗浄液流動路において確実に流動させることができる。
【００１９】
請求項５に記載した発明にあっては、前記ジョイントに、前記洗浄液を前記洗浄液流動路に誘導する誘導面が形成されている。
【００２０】
従って、部品点数の増大を伴わず洗浄装置の構造の簡素化を確保した上で洗浄液を洗浄液流動路において確実に流動させることができる。
【図面の簡単な説明】
【００２１】
【図１】図２乃至図４と共に本発明車輌用洗浄装置の実施の形態を示すものであり、本図は、車体又はバンパーに取り付けられた状態で示す洗浄装置の断面図である。
【図２】洗浄装置の分解斜視図である。
【図３】洗浄装置の断面図である。
【図４】洗浄液の流動経路を示す断面図である。
【発明を実施するための形態】
【００２２】
以下に、本発明車輌用洗浄装置を実施するための最良の形態について添付図面を参照して説明する。
【００２３】
尚、以下には、車輌用洗浄装置を車輌用灯具の洗浄装置に適用した例を示すが、本発明車輌用洗浄装置の適用は車輌用灯具の洗浄装置に限られることはなく、車体、窓、ミラー等の車輌に設けられる各部の洗浄装置として広く適用することが可能である。
【００２４】
洗浄装置１はジョイント２とノズルホルダー３とノズル４を有している（図１参照）。
【００２５】
ジョイント２は第１の環状部５と第１の環状部５の軸方向における一端部から内方へ張り出された押し当て部６と押し当て部６の内周部から第１の環状部５の軸方向へ突出された第２の環状部７とから成る（図２及び図３参照）。
【００２６】
第２の環状部７の内部には内方へ張り出された内フランジ部８が設けられ、内フランジ部８の内側の部分が送出口９として形成されている。第２の環状部７の先端部には先端に行くに従って径が大きくなるように傾斜された誘導面７ａが形成されている。第２の環状部７の内部における内フランジ部８から誘導面７ａまでの空間は挿入用空間７ｂとして形成されている。
【００２７】
ジョイント２の内部空間のうち送出口９より第１の環状部５側の空間は流路２ａとして形成されている。
【００２８】
ノズルホルダー３は円筒状の基部１０と基部１０に軸方向において連続して設けられた保持部１１と基部１０の内部に設けられた形成面部１２と形成面部１２から突出された支持突部１３とから成る。
【００２９】
ノズルホルダー３には基部１０にジョイント２の第２の環状部７が圧入され、ノズルホルダー３にジョイント２が連結される。ノズルホルダー３にジョイント２が連結された状態においては、ジョイント２の押し当て部６が基部１０の一端面に押し当てられる。
【００３０】
基部１０の内部空間は、その外周部が洗浄液流動路１０ａとして形成されている。
【００３１】
保持部１１は基部１０より外径が稍大きい略円筒状に形成され、軸方向における長さが基部１０より短くされている。保持部１１の内面は曲面状に形成されている。
【００３２】
形成面部１２は基部１０における保持部１１側の端部に設けられ、ノズルホルダー３の軸方向を向く板状に形成されている。形成面部１２の外周部には連通孔１２ａ、１２ａ、・・・が周方向に等間隔に離隔して形成されている。連通孔１２ａ、１２ａ、・・・はノズルホルダー３の中心軸を中心とした円弧状に形成され、基部１０の洗浄液流動路１０ａに連通されている。
【００３３】
支持突部１３は形成面部１２における連通孔１２ａ、１２ａ、・・・の内側の部分からノズルホルダー３の軸方向において保持部１１と反対側へ突出されている。
【００３４】
ノズルホルダー３の基部１０の内部にはコイルバネ１４が配置される。コイルバネ１４は圧縮コイルバネであり、一端部が支持突部１３に外嵌されて支持されている。コイルバネ１４は外径が基部１０の内径より小さくされており、基部１０の内部においてコイルバネ１４の外側に空間が生じ、この空間が洗浄液流動路１０ａとされる。
【００３５】
コイルバネ１４の他端部にはバルブ１５が取り付けられている。バルブ１５はコイルバネ１４の軸方向に延びる被挿入部１６と被挿入部１６の軸方向における一端部に連続して設けられた開閉部１７とから成る。
【００３６】
開閉部１７には被挿入部１６よりも外方へ張り出されたフランジ部１７ａが設けられている。開閉部１７の外周部には被挿入部１６から離隔するに従って内方へ変位するように傾斜された案内面１７ａが形成されている。
【００３７】
バルブ１５は被挿入部１６がコイルバネ１４の他端部に内嵌状に挿入されて取り付けられ、フランジ部１７ａがコイルバネ１４の他端に押し付けられている。
【００３８】
基部１０の内部にコイルバネ１４が配置された状態において、コイルバネ１４に外力が付与されていないときには、コイルバネ１４が伸長されてバルブ１５の略全体がジョイント２の挿入用空間７ｂに挿入され開閉部１７が内フランジ部８に押し付けられて送出口９が閉塞されている（図３参照）。
【００３９】
ノズル４は外周面が球状に形成された本体部１８を有し、本体部１８の内部に流動空間１８ａが形成されている（図２及び図３参照）。本体部１８には流動空間１８ａに連通する吐出口１８ｂが形成されている。
【００４０】
ノズル４はノズルホルダー３の保持部１１に内嵌状に圧入され、保持部１１に対して任意の方向へ回転可能とされる。
【００４１】
ジョイント２には洗浄液が供給される供給管１９の一端部が連結され、供給管１９の他端部は洗浄液が貯留される図示しない供給タンクに連結されている。
【００４２】
洗浄装置１においては、例えば、ノズルホルダー３の一部にカラー２０が外嵌状に取り付けられ、カラー２０が取付用板バネ２１によって押さえられることにより車体１００又はバンパーに取り付けられる（図１参照）。車体１００又はバンパーに取り付けられた状態においては、少なくともノズル４の一部が車体１００又はバンパーに形成された挿通孔１００ａから外方へ突出されている。ノズル４にはノズルカバー２２が取り付けられる。
【００４３】
上記のように構成された洗浄装置１において、供給タンクから供給管１９を介してジョイント２の流路２ａに洗浄液３００が供給されると、洗浄液３００の圧力がバルブ１５の開閉部１７に付与される。
【００４４】
洗浄液３００が流路２ａに供給されて圧力が開閉部１７に付与されると、供給された洗浄液３００によって内圧が上昇してコイルバネ１４が圧縮されバルブ１５がコイルバネ１４とともに移動され送出口９が開放される（図４参照）。
【００４５】
このとき洗浄液３００はバルブ１５の案内面１５ａに案内されると共にジョイント２の誘導面７ａに誘導されて送出口９からコイルバネ１４の外周側に存在する洗浄液流動路１０ａに送り出される。洗浄液３００は洗浄液流動路１０ａを流動され連結孔１２ａ、１２ａ、・・・を通過されてノズル４の流動空間１８ａに流動され、吐出口１８ｂから車両用灯具２００のカバー２０１へ向けて噴射され、噴射された洗浄液３００によってカバーが洗浄される。
【００４６】
供給タンクからの洗浄液３００の供給が停止されると、内圧が低下しコイルバネ１４が伸長されてコイルバネ１４とともにバルブ１５が移動され、開閉部１７が内フランジ部８に押し付けられて送出口９が閉塞され、ノズル４からの洗浄液３００の噴射が停止される。
【００４７】
以上に記載した通り、洗浄装置１にあっては、ノズルホルダー３に供給された洗浄液３００がコイルバネ１４の外側に形成された洗浄液流動路１０ａを流動されてノズル４の吐出口１８ｂから噴射される。
【００４８】
従って、流動面積の小さい空間において洗浄液３００に対して抵抗力が付与されたりコイルバネ１４から洗浄液３００に対して抵抗力が付与されないため圧力損失が生じ難く、ノズル４から噴射される洗浄液３００の高い噴射圧を確保することができる。
【００４９】
また、ノズルホルダー３に、洗浄液流動路１０ａに連通され洗浄液３００を洗浄液流動路１０ａからノズル４へ向けて流動させる連通孔１２ａ、１２ａ、・・・が形成されている。
【００５０】
従って、洗浄液３００が確実に洗浄液流動路１０ａを流動されてノズル４から噴射されるため、ノズルホルダー３の内部を流動される洗浄液３００に対する流動抵抗を確実に低下させることができる。
【００５１】
さらに、連通孔１２ａ、１２ａ、・・・が円弧状に形成され周方向に離隔して位置されているため、洗浄液３００の流速及びノズルホルダー３の内圧の均一化を図ることが可能であり、洗浄液３００の流動状態及び噴射状態の安定化を図ることができる。
【００５２】
さらにまた、バルブ１５に洗浄液３００を洗浄液流動路１０ａに案内する案内面１７ｂが形成されているため、部品点数の増大を伴わず洗浄装置１の構造の簡素化を確保した上で洗浄液３００を洗浄液流動路１０ａにおいて確実に流動させることができる。
【００５３】
加えて、ジョイント２に洗浄液３００を洗浄液流動路１０ａに誘導する誘導面７ａが形成されているため、部品点数の増大を伴わず洗浄装置１の構造の簡素化を確保した上で洗浄液３００を洗浄液流動路１０ａにおいて確実に流動させることができる。
【００５４】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【符号の説明】
【００５５】
１…洗浄装置、２…ジョイント、２ａ…流路、３…ノズルホルダー、４…ノズル、９…送出口、７ａ…誘導面、１０ａ…洗浄液流動路、１２ａ…連通孔、１４…コイルバネ、１５…バルブ、１７ｂ…案内面、１８ｂ…吐出口、２００…車輌用灯具、３００…洗浄液
【図１】
2014125056.tif 000003
【図２】
2014125056.tif 000004
【図３】
2014125056.tif 000005
【図４】
2014125056.tif 000006